(57)【要約】【課題】強度および施工性に優れた組立式断熱箱体を提供する。【解決手段】起立した姿勢で配される仕切パネル（第一パネル）１０と、仕切パネル１０上に水平となる姿勢で載置される冷蔵室天面パネル（第二パネル）２０と、冷蔵室天面パネル上に載置される冷凍室天面パネル（第三パネル）３０と、を備えて構築される断熱箱体（組立式断熱箱体）１において、冷蔵室天面パネル２０は、下板面の左側縁部２０ＡＬにおいて仕切パネル１０の上端面１０ＴＢと当接する一方、これらの当接部分の鉛直方向上側に相当する上板面の左側縁部２０ＢＬにおいて冷凍室天面パネル３０と当接しており、仕切パネル１０の上端面１０ＴＢと冷蔵室天面パネル２０の下板面の左側縁部２０ＡＬ、並びに、冷蔵室天面パネル２０の上板面の左側縁部２０ＢＬと冷凍室天面パネル３０の下板面の右側縁部３０ＡＲには、互いに嵌合する凸条部５Ｂおよび凹条部６Ａ、凹条部６Ｂおよび凸条部５Ａが設けられている。【選択図】図４
2018151112.tif 000002
【特許請求の範囲】
【請求項１】
平板状をなす断熱性のパネルを、複数枚組み合わせて構築される組立式断熱箱体であって、
起立した姿勢で配される第一パネルと、
前記第一パネル上に水平となる姿勢で載置される第二パネルと、
前記第二パネル上に載置される第三パネルと、を備え、
前記第二パネルの一対の板面のうち下板面の一部が、起立した前記第一パネルの上端面と当接する一方、前記第二パネルの上板面が、当該第二パネルと前記第一パネルとの当接部分の鉛直方向上側において前記第三パネルと当接しており、
前記第一パネルと前記第二パネルとの当接部分、並びに、前記第二パネルと前記第三パネルとの当接部分には、互いに嵌合する少なくとも一対の嵌合構造が設けられている組立式断熱箱体。
【請求項２】
前記一対の嵌合構造は、前記第一パネルと前記第二パネルとの当接部分、または前記第二パネルと前記第三パネルとの当接部分において、各当接部分の長手方向に延在する凸条部および凹条部からなる請求項１に記載の組立式断熱箱体。
【請求項３】
前記第二パネルは、前記下板面の一の側縁部において前記第一パネルと当接して、前記第一パネルの一方の板面側に延出するように配され、
前記第三パネルは、水平となる姿勢で前記第二パネル上に載置されるとともに、その一対の板面のうち下板面の一の側縁部において前記第二パネルと当接して、前記第一パネルの他方の板面側に延出するように配されている請求項１または請求項２に記載の組立式断熱箱体。
【請求項４】
前記第三パネル上に水平となる姿勢で載置される第四パネルをさらに備え、
前記第三パネルは、起立した姿勢で前記第二パネル上に載置されるとともに、その下端面において前記第二パネルと当接し、その上端面において前記第四パネルと当接しており、
前記第四パネルと前記第三パネルとの当接部分には、互いに嵌合する少なくとも一対の嵌合構造が設けられている請求項１または請求項２に記載の組立式断熱箱体。
【請求項５】
前記第二パネルは、前記下板面の一の側縁部において前記第一パネルと当接して、前記第一パネルの一方の板面側に延出するように配され、
前記第四パネルは、その一対の板面のうち下板面の一の側縁部において前記第三パネルと当接して、前記第一パネルの他方の板面側に延出するように配されている請求項４に記載の組立式断熱箱体。
【請求項６】
前記第二パネルは、前記下板面の一の側縁部において前記第一パネルと当接して、前記第一パネルの一方の板面側に延出するように配され、
前記第四パネルは、その一対の板面のうち下板面の一の側縁部において前記第三パネルと当接して、前記第一パネルの前記一方の板面側に延出するように配されている請求項４に記載の組立式断熱箱体。
【請求項７】
請求項１から請求項６のいずれか一項に記載の組立式断熱箱体を用いた冷却貯蔵庫。
【発明の詳細な説明】
【技術分野】
【０００１】
本明細書により開示される技術は、組立式断熱箱体および冷却貯蔵庫に関する。
【背景技術】
【０００２】
従来、プレハブ貯蔵庫等には、複数枚のパネルを設置先で所定に組み立てて構築される組立式断熱箱体が用いられている。例えば、下記特許文献１には、複数のパネルを相互に接続して冷凍室と冷蔵室とを左右に並べて形成してなる組立式断熱箱体が開示されている。このような箱体において、冷凍室は、断熱性能を考慮し、全て肉厚な冷凍用断熱パネルおよび中仕切用断熱パネルにより画成される。そして、冷凍室の側壁の一つを形成する中仕切用断熱パネルに、肉薄な冷蔵用断熱パネルが連結されて冷蔵室の側壁が形成され、この側壁の上に、冷蔵用断熱パネルが載置されて冷蔵室の天面が形成されて、冷蔵室が画成される。
【先行技術文献】
【特許文献】
【０００３】
【特許文献１】実開昭６３−１６２２８９号公報
【発明の概要】
【発明が解決しようとする課題】
【０００４】
上記構成の組立式断熱箱体において、冷凍室天面パネルの冷蔵室寄りの側縁部は、中仕切用断熱パネル上に載置される。他方、冷蔵室天面パネルは中仕切用断熱パネルには載置されず、冷蔵室天面パネルの冷凍室寄りの側縁部は、中仕切用断熱パネルに取り付けられたＬ型の取付金具等で固定される。このように、冷蔵室天面パネルの冷凍室側の側縁部は、補強材によって支持されるだけとなるため、中仕切用断熱パネル上に支持される冷凍室天面パネルと同等の耐荷重等強度を発現させることは難しい。また、冷蔵室天面パネルは、まず中仕切用パネルに取付金具を固定し、これにねじ止め等する必要があるため、中仕切用断熱パネル上に載置して固定される冷凍室天面パネルと比べると、組立作業工数も多くなるという問題があった。また、複数の貯蔵室を上下に並べて形成してなる組立式断熱箱体では、貯蔵室間の水平な仕切壁を構成する断熱パネルが取付金具を用いて固定されることがあり、同様の問題を生じていた。
【０００５】
本明細書によって開示される技術は、上記事情に基づいて完成されたものであって、強度および施工性に優れた組立式断熱箱体および冷却貯蔵庫を提供することを目的とする。
【課題を解決するための手段】
【０００６】
本明細書により開示される組立式断熱箱体は、平板状をなす断熱性のパネルを、複数枚組み合わせて構築される組立式断熱箱体であって、起立した姿勢で配される第一パネルと、前記第一パネル上に水平となる姿勢で載置される第二パネルと、前記第二パネル上に載置される第三パネルと、を備え、前記第二パネルの一対の板面のうち下板面の一部が、起立した前記第一パネルの上端面と当接する一方、前記第二パネルの上板面が、当該第二パネルと前記第一パネルとの当接部分の鉛直方向上側において前記第三パネルと当接しており、前記第一パネルと前記第二パネルとの当接部分、並びに、前記第二パネルと前記第三パネルとの当接部分には、互いに嵌合する少なくとも一対の嵌合構造が設けられている。
【０００７】
上記構成によれば、起立した姿勢で配される第一パネルの端面上に、第二パネルおよび第三パネルが鉛直方向に重ねられた状態で載置される。これにより、第二パネルのみならず第三パネルも第一パネルによって支持され、第二パネルと同等の耐荷重等の強度が発現できる状態で、第三パネルが第二パネルに組み付けられる。この結果、組立式断熱箱体の強度が全体として向上する。また、第二パネルの上下両板面に嵌合構造が形成されており、これらを第一パネルまたは第三パネルの当接部分に形成した嵌合構造と嵌合させることで、第二パネルの上下に第一パネルおよび第三パネルを容易に組み付けることができる。この結果、第一パネルの鉛直方向に配された板面に取付金具等を取り付けて第三パネルを組み付ける構造と比較すると、取付金具等が不要となって部品点数が削減できるとともに、少ない工数で組立て可能となって施工性が向上する。なお、本明細書において、「平板状」のパネルには、全体がフラットなパネルのみならず、フラットな平板が連設された形状のパネルも含まれるものとする。このようなパネルには、断熱箱体の側壁角部に配されるコーナーパネル等が含まれる。
【０００８】
本明細書により開示される断熱箱体において、前記一対の嵌合構造は、前記第一パネルと前記第二パネルとの当接部分、または前記第二パネルと前記第三パネルとの当接部分において、各当接部分の長手方向に延在する凸条部および凹条部からなるものであってもよい。
【０００９】
上記構成によれば、各パネルの当接部分には、第一パネルの上端面の長手方向と合致する方向に沿って、換言すれば第一パネルの板面と並行するように、凸条部および凹条部が延在する。これにより、各パネルの当接部分において、第一パネルの一方の板面側と他方の板面側との間の空気の流通が抑制され、断熱性が向上する。
【００１０】
本明細書により開示される断熱箱体において、前記第二パネルは、前記下板面の一の側縁部において前記第一パネルと当接して、前記第一パネルの一方の板面側に延出するように配され、前記第三パネルは、水平となる姿勢で前記第二パネル上に載置されるとともに、その一対の板面のうち下板面の一の側縁部において前記第二パネルと当接して、前記第一パネルの他方の板面側に延出するように配されていてもよい。
【００１１】
上記構成によれば、第一パネルを仕切壁として左右に貯蔵室が形成されるようなドッキング型貯蔵庫に、本技術を好ましく適用することができる。例えば、第一パネルの一方の板面側に第一貯蔵室が構築され、他方の板面側に第二貯蔵室が構築されるドッキング型貯蔵庫において、第一貯蔵室の天面を第二パネルで形成し、第二貯蔵室の天面を第三パネルで形成することができる。或いは、第一パネルをベース支持壁として、第一貯蔵室の床面を第二パネルで形成し、第二貯蔵室の床面を第三パネルで形成することができる。
【００１２】
本明細書により開示される断熱箱体は、前記第三パネル上に水平となる姿勢で載置される第四パネルをさらに備え、前記第三パネルは、起立した姿勢で前記第二パネル上に載置されるとともに、その下端面において前記第二パネルと当接し、その上端面において前記第四パネルと当接しており、前記第四パネルと前記第三パネルとの当接部分には、互いに嵌合する少なくとも一対の嵌合構造が設けられていてもよい。
【００１３】
上記構成によれば、第一パネルの上方に、第二パネル、第三パネル、第四パネルが鉛直方向に重ねられた状態で載置される。これにより、第三パネルおよび第四パネルも第一パネルや第二パネル等で支持された状態で、互いに組み付けられる。また、第三パネルと第四パネルの当接部分にも嵌合構造が形成されており、第四パネルを第三パネルに容易に組み付けることができる。さらに、第二パネルと第四パネルとの間に第三パネルが配されることにより、第二パネルと第四パネルの高さレベルを調整しつつ水平方向に延出させることができる。なお、第三パネルと第四パネルの当接部分における嵌合構造も、第一パネルと第二パネルの当接部分や第二パネルと第三パネルの当接部分における嵌合構造と同様、当該当接部分の長手方向に延在する凸条部および凹条部からなるものとすることができる。
【００１４】
本明細書により開示される断熱箱体において、前記第二パネルは、前記下板面の一の側縁部において前記第一パネルと当接して、前記第一パネルの一方の板面側に延出するように配され、前記第四パネルは、その一対の板面のうち下板面の一の側縁部において前記第三パネルと当接して、前記第一パネルの他方の板面側に延出するように配されていてもよい。
【００１５】
上記構成によれば、第一パネルを仕切壁として左右に貯蔵室が形成されるようなドッキング型貯蔵庫に、本技術を好ましく適用することができる。例えば、第一パネルの一方の板面側に第一貯蔵室が構築され、他方の板面側に第二貯蔵室が構築されるドッキング型貯蔵庫において、第一貯蔵室の天面を第二パネルで形成し、第二貯蔵室の上部側壁を第三パネルで、天面を第四パネルで形成することができる。この際、第二パネルと第四パネルとの間に起立した姿勢の第三パネルが配されていることにより、第三パネルの高さ寸法分だけ、第二貯蔵室の天面を第一貯蔵室の天面よりも高く形成することができる。
或いは、第一パネルをベース支持壁とし、第一貯蔵室の床面を第二パネルで形成し、第二貯蔵室の床面を第四パネルで形成してもよい。この際、第二パネルと第四パネルとの間に配される第三パネルにより、段差部の側壁が形成される。このようにすれば、第三パネルの高さ寸法分だけ、第二貯蔵室の床面を第一貯蔵室の床面よりも高く形成することができる。これにより、多様な構造の組立式断熱箱体を容易に提供することができる。
【００１６】
本明細書により開示される断熱箱体において、前記第二パネルは、前記下板面の一の側縁部において前記第一パネルと当接して、前記第一パネルの一方の板面側に延出するように配され、前記第四パネルは、その一対の板面のうち下板面の一の側縁部において前記第三パネルと当接して、前記第一パネルの前記一方の板面側に延出するように配されていてもよい。
【００１７】
上記構成によれば、第二パネルを仕切壁として上下に貯蔵室が形成されるようなドッキング型貯蔵庫に、本技術を好ましく適用することができる。例えば、第二パネルの下板面側に第一貯蔵室が構築され、上板面側に第二貯蔵室が構築されるドッキング型貯蔵庫において、第一貯蔵室の天面および第二パネルの床面を第二パネルで形成し、第二貯蔵室の天面を第四パネルで形成することができる。或いは、第二パネルおよび第四パネルを何れも仕切壁としてもよい。これにより、組立式断熱箱体の設計自由度が増し、さらに多様な構造の組立式断熱箱体を容易に提供することができる。
【００１８】
本明細書により開示される断熱箱体は、冷却貯蔵庫に用いてもよい。
【００１９】
本明細書により開示される断熱箱体を用いて、強度および施工性に優れた多様な構造の冷却貯蔵庫を提供することができる。特に、パネルにより仕切られた複数の貯蔵室を有するドッキング型冷却貯蔵庫を形成する際に有用である。
【発明の効果】
【００２０】
本明細書によって開示される技術によれば、強度および施工性に優れた組立式断熱箱体および冷却貯蔵庫を提供することができる。
【図面の簡単な説明】
【００２１】
【図１】第一実施形態に係る組立式断熱箱体を用いたドッキング型プレハブ冷凍冷蔵庫の正面図
【図２】断熱扉を取り外した状態の図１のＡ−Ａ断面を模式的に表した断面図
【図３】ドッキング型プレハブ冷凍冷蔵庫の平面図
【図４】仕切パネル、冷蔵室天面パネル、冷凍室天面パネルの当接部分を模式的に表した分解断面図
【図５】図４の仕切パネル、冷蔵室天面パネル、冷凍室天面パネルの嵌合状態を表した断面図
【図６】第二実施形態に係る仕切パネル、冷蔵室天面パネル、冷凍室上部側壁パネル、冷凍室天面パネルの当接部分を模式的に表した分解断面図
【図７】第三実施形態に係る仕切パネル、冷凍室天面パネル、冷蔵室上部側壁パネル、冷蔵室天面パネルの当接部分を模式的に表した分解断面図
【図８】第四実施形態に係る組立式断熱箱体を用いたドッキング型プレハブ冷凍冷蔵庫の正面図
【図９】仕切パネル、第一冷凍室天面パネル、冷凍室上部側壁パネル、冷凍室天面パネルの当接部分を模式的に表した分解断面図
【図１０】第五実施形態に係る組立式断熱箱体を用いたドッキング型プレハブ冷凍冷蔵庫の正面図
【図１１】仕切パネル、第一冷凍室天面パネル、冷凍室上部側壁パネル、冷凍室天面パネル、冷蔵室天面パネルの当接部分を模式的に表した分解断面図
【発明を実施するための形態】
【００２２】
＜第一実施形態＞
第一実施形態を、図１ないし図５によって説明する。本実施形態では、冷凍室と冷蔵室とが左右に並べて設けられた構造の、ドッキング型プレハブ式の冷凍冷蔵庫ＦＲ１に適用した場合を例示する。なお、以下の説明では、図１の紙面手前側を前（奥側を奥）、右側を右（左側を左）、上側を上（下側を下）とする。また、同一構造の部材には同一の符号を付すが、複数の同一部材については一部の部材に符号を付して、他の部材については符号を省略することがある。
【００２３】
まず、冷凍冷蔵庫ＦＲ１の全体構造について、図１から図３を参照しつつ説明する。
図１は、冷凍冷蔵庫ＦＲ１の外観正面図である。冷凍冷蔵庫ＦＲ１は、２つの貯蔵室が左右に連設された構造の断熱性の断熱箱体（組立式断熱箱体）１からなる。断熱箱体１の右寄りの位置に構築される貯蔵室が冷蔵室２、左寄りの貯蔵庫が冷凍室３とされ、各貯蔵庫の前面に設けられた開口２Ｅ，３Ｅ（図３参照）に、断熱性の扉ＤＲが開閉可能に装着されている。各貯蔵庫内の天井部分には、図示しない冷却器が設置される一方、断熱箱体１の外部には、圧縮機および凝縮器等からなる図示しない冷凍ユニットが設置されており、冷却器と冷凍ユニットとの間が冷媒配管によって循環接続されて、周知の冷凍回路が構成されている。各貯蔵庫内は、冷凍ユニットの運転によって生成された冷気が冷却器から適宜吹き出されることで、設定温度付近に冷却・維持されるようになっている。
【００２４】
図２は、断熱箱体１の横断面を模式的に示した図である。左寄りに配される冷凍室３は、前後左右の四方が側壁３Ｓに取り囲まれており、このうち冷蔵室２側（右側）の側壁３Ｓが、仕切壁３ＳＡとされる。冷凍室３の仕切壁３ＳＡを含む側壁３Ｓは、肉厚な冷凍室用パネルを複数枚組み付けて構成されている。冷蔵室２は、前後および右の三方を取り囲む側壁２Ｓと、左に配されて前後の側壁２Ｓが突き当てられた、前述の仕切壁３ＳＡによって画成される。側壁２Ｓは、冷凍室用パネルよりも肉薄な冷蔵室用パネルを複数組み付けて構成されている。なお、本実施形態に係る冷凍冷蔵庫ＦＲ１は、図１に示すように、冷蔵室２の床面２Ｂおよび冷凍室３の床面３Ｂにベースパネルが配されたウォークインタイプのプレハブ貯蔵庫である。
【００２５】
図３は、冷凍冷蔵庫ＦＲ１を上方から見た平面図である。冷蔵室２の天面２Ｃおよび冷凍室３の天面３Ｃはそれぞれ、いずれも平面視長方形状に形成された４枚の冷蔵室天面パネル２０または冷凍室天面パネル３０を組付けて構成されている。冷蔵室２と冷凍室３の境界部分において鉛直方向には、図１に示すように、仕切壁３ＳＡの上端面に冷蔵室天面パネル２０が載置され、この冷蔵室天面パネル２０の上面に、冷凍室天面パネル３０が載置される。
【００２６】
続いて、仕切壁３ＳＡ、冷蔵室２の天面２Ｃ、冷凍室３の天面３Ｃの積層部分の構造について、図４および図５を参照しつつ説明する。
図４は、仕切壁３ＳＡを構成する肉厚な仕切パネル（第一パネル）１０、冷蔵室２の天面２Ｃを構成する肉薄な冷蔵室天面パネル（第二パネル）２０、冷凍室３の天面３Ｃを構成する肉厚な冷凍室天面パネル（第三パネル）３０の当接部分の状態が分かるように、各部材を分離させた状態で示した断面図である。
【００２７】
仕切パネル１０、冷蔵室天面パネル２０、冷凍室天面パネル３０は、所定間隔を開けて対向配置された金属板製の一対の表面板９の周縁部に、硬質塩化ビニル等の合成樹脂成形品からなる後述する枠材１１、２１、３１が装着された、平板状の外殻を有する。この外殻内側に形成される中空部に、硬質ポリウレタン等の発泡樹脂からなる断熱材７が発泡充填されて、断熱性を有する各パネルが構成される。
【００２８】
仕切パネル１０の枠材１１、冷蔵室天面パネル２０の枠材２１、冷凍室天面パネル３０の枠材３１について、順次説明する。
図４に示すように、枠材１１は、起立した姿勢で配される仕切パネル１０の上端面１０ＴＢを構成するものであり、断面がごく浅いコの字型の概形をなして下向きに開口する姿勢で配され、左右方向の長さ寸法が、肉厚な仕切パネル１０の厚さ寸法に相当する。枠材１１の左右両肩部には、表面板９の縁部を固定するための溝８が形成されており、表面板９の縁部が約９０度曲げられて溝８に差し込まれ、枠材１１が２枚の表面板９の間に取り付けられる。枠材１１の上面には、上方に突出する２本の凸条部５Ｂが形成され、これらの間が凹条部６Ｂとされる。
【００２９】
図４に示すように、枠材２１は、水平姿勢に支持される冷蔵室天面パネル２０の左側縁部に配されて、左端面２０ＴＬ（図５参照）、下板面の左側縁部２０ＡＬ、上板面の左側縁部２０ＢＬ、を構成する。枠材２１は、断面が深いコの字型の概形をなして右向きに開口する姿勢で配されるものであり、左右方向の長さ寸法が仕切パネル１０の厚さ寸法とほぼ同等とされ、上下方向の高さ寸法が肉薄な冷蔵室天面パネル２０の厚さ寸法に相当するように形成されている。枠材２１の上下面における右端部には溝８が設けられており、この溝８に２枚の表面板９の縁部が差し込まれて、枠材２１が２枚の表面板９の間に取り付けられる。枠材２１の下面には、枠材１１の凸条部５Ｂと嵌合する２本の凹条部６Ａと、凹条部６Ｂと嵌合する凸条部５Ａが形成されて、枠材１１の上面に対応する形状とされている。また、枠材２１の上面には、枠材１１の上面に形成されているのと同様の２本の凸条部５Ｂが形成され、これらの間が凹条部６Ｂとされる。なお、枠材２１の下面において左端部に設けられた溝４は、他のパネルとの接合に用いられる溝ではなく、隣り合う仕切パネル１０を繋ぐときに鎹を打ち込んで仕切パネル１０間に隙間ができないように仮止めするための溝である。
【００３０】
図４に示すように、枠材３１は、水平姿勢に支持される冷凍室天面パネル３０の右側縁部に配されて、右端面３０ＴＲ（図５参照）、上板面の右側縁部３０ＢＲ（図５参照）、下板面の右側縁部３０ＡＲ、を構成する。枠材３１は、断面コの字型の概形をなして左向きに開口する姿勢で配されるものであり、左右方向の長さ寸法が肉厚な仕切パネル１０の厚さ寸法に、上下方向の高さ寸法が肉厚な冷凍室天面パネル３０の厚さ寸法に相当して、断面が略正方形に沿った形状に形成されている。枠材３１の上下面における左端部には溝８が設けられており、この溝８に２枚の表面板９の縁部が差し込まれて、枠材３１が２枚の表面板９の間に取り付けられる。枠材３１の下面には、枠材２１の上面に設けられた凸条部５Ｂと嵌合する２本の凹条部６Ａと、凹条部６Ｂと嵌合する凸条部５Ａが形成されて、枠材２１の上面に対応する形状とされている。なお、枠材３１の下面右端部には、パネル接続時の仮止め用の溝４が設けられている。また、枠材３１の上面はほぼ平坦に形成され、冷凍室天面パネル３０の上板面を構成する表面板９とほぼ面一とされている。
【００３１】
図５は、仕切パネル１０、冷蔵室天面パネル２０、冷凍室天面パネル３０を互いに嵌合させた状態の断面図である。
上記のような構成の仕切パネル１０、冷蔵室天面パネル２０、冷凍室天面パネル３０を、順に積み重ねることで、断熱箱体１の仕切部分が構成される。詳しくは、まず、枠材１１が取り付けられた仕切パネル１０を起立した姿勢で配し、この上に、枠材２１が取り付けられた冷蔵室天面パネル２０を載置して、上端面１０ＴＢと下板面の左側縁部２０ＡＬとを当接させ、図４に示す凸条部５Ｂと凹条部６Ａ、並びに、凹条部６Ｂと凸条部５Ａを嵌合させる。次いで、冷蔵室天面パネル２０の上に、枠材３１が取り付けられた冷凍室天面パネル３０を載置して、上板面の左側縁部２０ＢＬと下板面の右側縁部３０ＡＲとを当接させ、図４に示す凸条部５Ｂと凹条部６Ａ、並びに、凹条部６Ｂと凸条部５Ａを嵌合させる。この状態で、図５に示すように、仕切壁３ＳＡ、冷蔵室２の天面２Ｃ、冷凍室３の天面３Ｃの適当な箇所においてボルトＢＴ等の締結具で固定することにより、冷蔵室天面パネル２０および冷凍室天面パネル３０が、仕切パネル１０上に組み付け固定される。
【００３２】
本実施形態の作用効果について、説明する。
本実施形態の構成によれば、起立した姿勢で配される仕切パネル１０の上端面１０ＴＢ上に、水平となる姿勢で配される冷蔵室天面パネル２０の左側縁部および冷凍室天面パネル３０の右側縁部が鉛直方向に重ねられた状態で載置される。これにより、冷蔵室天面パネル２０のみならず冷凍室天面パネル３０も仕切パネル１０等によって下方から支持され、冷蔵室天面パネル２０と同等の耐荷重等の強度が発現できる状態で、冷凍室天面パネル３０を冷蔵室天面パネル２０に組み付けられる。
【００３３】
本実施形態の構成によれば、冷蔵室天面パネル２０の下板面の左側縁部２０ＡＬおよび上板面の左側縁部２０ＢＬ、並びに、仕切パネル１０の上端面１０ＴＢおよび冷凍室天面パネル３０の下板面の右側縁部３０ＡＲに、凸条部５Ａ，５Ｂまたは凹条部６Ａ，６Ｂが延在しており、これらを互いに嵌合させることで、各パネルを容易に組み付けることができる。よって、仕切パネル１０の鉛直方向に配された板面に取付金具等を取り付けて冷凍室天面パネル３０を組み付ける構造と比較すると、取付金具等が不要となって部品点数が削減されるとともに、少ない工数で組立て可能とされている。また、凸条部５Ａ，５Ｂおよび凹条部６Ａ，６Ｂは、仕切パネル１０の上端面１０ＴＢの長手方向と合致する方向に沿って、換言すれば仕切パネル１０の板面と並行するように、延在している。よって、仕切パネル１０と冷蔵室天面パネル２０との当接部分において、仕切パネル１０の右板面側に構築される冷蔵室２と左板面側に構築される冷凍室３との間の空気の流通が抑制されるとともに、冷蔵室天面パネル２０と冷凍室天面パネル３０の当接部分において、冷凍室３と外部との空気の流通が抑制され、各貯蔵室の断熱性が高く維持される。
【００３４】
また、従来構造によって冷凍室３と冷蔵室２とが左右に連設されたドッキング型冷凍冷蔵庫では、冷蔵室２の天面２Ｃが仕切壁３ＳＡに突き当てられる構造とする場合（冷蔵室２の天面２Ｃを冷凍室３の天面３Ｃよりも低く形成する場合）、仕切壁３ＳＡの突当部に結露対策のためのスリット加工（縁切り加工）を施す必要があったが、本実施形態によれば冷蔵室天面パネル２０が冷凍室３内まで到達する構成となるため、このような加工が不要となり、加工工数がさらに削減されている。
【００３５】
本実施形態の構成によれば、仕切パネル１０を挟んで左右に貯蔵室が形成されるようなドッキング型貯蔵庫に、本技術を好ましく適用することができる。
＜第二実施形態＞
第二実施形態を、図６によって説明する。
第二実施形態に係る断熱箱体２０１は、所定の寸法だけ、冷凍室の天面２０３Ｃが冷蔵室２の天面２０２Ｃよりも高くなるように構築されている点において、第一実施形態に係る断熱箱体１と異なっている。以下では、第一実施形態と同様の構成には同一の符号を付して説明を省略する（第三実施形態以下の説明においても、当該実施形態よりも前の実施形態において説明した構成については同様とする）。また、図６でも、紙面手前側を前（奥側を奥）、右側を右（左側を左）、上側を上（下側を下）とする（図７以下についても同様とする）。
【００３６】
本実施形態に係る断熱箱体２０１でも、仕切パネル１０によって構成される仕切壁２０３ＳＡの右側に冷蔵室、左側に冷凍室が構築される。断熱箱体２０１では、何れも水平となる姿勢で配される冷蔵室天面パネル２０と冷凍室天面パネル３０の間に、冷凍室右側の上部側壁２０３ＳＢを構成する冷凍室上部側壁パネル２３０が、起立した姿勢で配される。なお、本実施形態に係る断熱箱体２０１では、仕切パネル１０が請求項４および請求項５における第一パネルに相当し、冷蔵室天面パネル２０が第二パネルに、冷凍室上部側壁パネル２３０が第三パネルに、冷凍室天面パネル３０が第四パネルに相当する。
【００３７】
冷凍室上部側壁パネル２３０は、仕切パネル１０等と同じく、所定間隔を空けて対向配置された金属製の一対の表面板９の周縁部に、硬質塩化ビニル等の合成樹脂成形品からなる枠材２３１Ａ，２３１Ｂが装着され、この内部に硬質ポリウレタン等の発泡樹脂からなる断熱材７が発泡充填されたものである。冷凍室上部側壁パネル２３０は、冷蔵室天面パネル２０の上板面の左側縁部２０ＢＬ上に、起立した姿勢で組み付けられる。冷凍室上部側壁パネル２３０の下側に取り付けられる下枠材２３１Ａが下端面２３０ＴＡを、上側に取り付けられる上枠材２３１Ｂが上端面２３０ＴＢを構成する。
【００３８】
下枠材２３１Ａは、断面がごく浅いコの字型の概形をなして上向きに開口する姿勢で配され、左右方向の長さ寸法が、仕切パネル１０と同等に肉厚な冷凍室上部側壁パネル２３０の厚さ寸法となる。下枠材２３１Ａの下面は、冷凍室天面パネル３０に取り付けられる枠材３１の下面と同様、冷蔵室天面パネル２０に取り付けられる枠材２１の上面に対応する形状に形成されており、枠材２１の上面に形成された凸条部５Ｂと嵌合する２本の凹条部６Ａが形成され、これらの間が枠材２１の凹条部６Ｂ内に嵌合する凸条部５Ａとされる。
【００３９】
上枠材２３１Ｂは、仕切パネル１０に取り付けられる枠材１１と同様の形状とされる。すなわち、上枠材２３１Ｂの上面は、冷凍室天面パネル３０に取り付けられる枠材３１の下面に対応する形状であって、枠材３１の下面に形成された凹条部６Ａ内に嵌合する２本の凸条部５Ｂが形成されており、これらの間が枠材３１の凸条部５Ａと嵌合する凹条部６Ｂとされる。
【００４０】
上記のような枠材２３１Ａ，２３１Ｂを取り付けた冷凍室上部側壁パネル２３０は、冷蔵室天面パネル２０と冷凍室天面パネル３０との間に、起立した姿勢で配される。詳しくは、実施形態１と同様に仕切パネル１０上に載置した冷蔵室天面パネル２０の上板面の左側縁部２０ＢＬ上に、下枠材２３１Ａからなる下端面２３０ＴＡを載置して、凸条部５Ｂと凹条部６Ａ、並びに、凹条部６Ｂと凸条部５Ａを嵌合させる。さらに、冷凍室上部側壁パネル２３０の上枠材２３１Ｂからなる上端面２３０ＴＢに、冷凍室天面パネル３０の下板面の枠材３１からなる右側縁部３０ＡＲを載置して、凸条部５Ｂと凹条部６Ａ、並びに、凹条部６Ｂと凸条部５Ａを嵌合させる。この状態で、締結具等で各パネルを固定することにより、冷蔵室天面パネル２０、冷凍室上部側壁パネル２３０、および冷凍室天面パネル３０が、仕切パネル１０上に支持された状態で組み付け固定される。
【００４１】
本実施形態によれば、第一実施形態と同様の効果が得られるのに加え、冷凍室上部側壁パネル２３０の高さ寸法分だけ、冷凍室の天面２０３Ｃを冷蔵室の天面２０２Ｃよりも高く形成することができる。
【００４２】
＜第三実施形態＞
第三実施形態を、図７によって説明する。
第三実施形態に係る断熱箱体３０１は、冷蔵室の天面３０２Ｃが、冷凍室の天面３０３Ｃよりも所定の寸法だけ高くなるように構築されている点において、第二実施形態に係る断熱箱体２０１と異なっている。
【００４３】
本実施形態に係る断熱箱体３０１でも、仕切パネル１０によって構成される仕切壁３０３ＳＡの右側に冷蔵室、左側に冷凍室が構築される。断熱箱体３０１では、冷凍室の天面３０３Ｃを構成する冷凍室天面パネル３２０の方が、冷蔵室の天面３０２Ｃを構成する冷蔵室天面パネル３４０よりも下方に配され、冷凍室天面パネル３２０と冷蔵室天面パネル３４０との間に、冷蔵室左側の上部側壁３０２ＳＢを構成する冷蔵室上部側壁パネル３３０が配される。なお、本実施形態に係る断熱箱体３０１では、仕切パネル１０が請求項４および請求項５における第一パネルに相当し、冷凍室天面パネル３２０が第二パネルに、冷蔵室上部側壁パネル３３０が第三パネルに、冷蔵室天面パネル３４０が第四パネルに相当する。
【００４４】
本実施形態において、冷凍室天面パネル３２０の右側縁部に取り付けられる枠材３２１は、第一実施形態および第二実施形態に係る冷凍室天面パネル３０の枠材３１と類似の構造であり、冷凍室天面パネル３２０の下板面の右側縁部３２０ＡＲを構成する下面は、第一実施形態および第二実施形態に係る枠材３１の下面と同じ形状とされている。一方、上板面の右側縁部３２０ＢＲを構成する上面は、その右端寄りの位置に、仕切パネル１０の枠材１１に形成された２本の凸条部５Ｂ等よりも細い２本の凸条部３０５Ｂが近接して形成され、これらの間が凹条部３０６Ｂとされている。
【００４５】
本実施形態に係る冷蔵室上部側壁パネル３３０は、仕切パネル１０よりも肉薄に形成されており、冷凍室天面パネル３２０の右側縁部上に、起立した姿勢で組み付けられる。冷蔵室上部側壁パネル３３０の下側に取り付けられて下端面３３０ＴＡを構成する下枠材３３１Ａの下面には、前述した凸条部３０５Ｂと嵌合する２本の凹条部３０６Ａと、凹条部３０６Ｂと嵌合する凸条部３０５Ａが形成され、枠材３２１の上面に対応する形状とされている。また、冷蔵室上部側壁パネル３３０の上側に取り付けられて上端面３３０ＴＢを構成する上枠材３３１Ｂの上面には、枠材３２１の上面に形成されているのと同様の２本の凸条部３０５Ｂが形成され、これらの間が凹条部３０６Ｂとされる。
【００４６】
本実施形態において、冷蔵室天面パネル３４０の左側縁部に取り付けられて下板面の左側縁部３４０ＡＬを構成する枠材３４１の下面には、上枠材３３１Ｂの上面に設けられた凸条部３０５Ｂと嵌合する２本の凹条部３０６Ａと、凹条部３０６Ｂと嵌合する凸条部３０５Ａが形成されて、上枠材３３１Ｂの上面に対応する形状とされている。
【００４７】
本実施形態では、仕切パネル１０の上端面１０ＴＢ上に、冷凍室天面パネル３２０の下板面の右側縁部３２０ＡＲを当接させ、これらの当接部分に設けられた凸条部５Ｂと凹条部６Ａ、凹条部６Ｂと凸条部５Ａとを嵌合させる。そして、冷凍室天面パネル３２０の上板面の右側縁部３２０ＢＲと、冷蔵室上部側壁パネル３３０の下端面３３０ＴＡを当接させて、これらの当接部分に設けられた凸条部３０５Ｂと凹条部３０６Ａ、並びに、凹条部３０６Ｂと凸条部３０５Ａを嵌合させる。さらに、冷蔵室上部側壁パネル３３０の上枠材３３１Ｂからなる上端面３３０ＴＢに、冷蔵室天面パネル３４０の下板面の左側縁部３４０ＡＬを載置して、凸条部３０５Ｂと凹条部３０６Ａ、並びに、凹条部３０６Ｂと凸条部３０５Ａを嵌合させる。この状態で、締結具等で各パネルを固定することにより、冷凍室天面パネル３２０、冷蔵室上部側壁パネル３３０、および冷蔵室天面パネル３４０が、仕切パネル１０上に支持された状態で組み付け固定される。
【００４８】
従来構造のドッキング型冷凍冷蔵庫では、冷蔵室の天面を冷凍室の天面よりも高く構築するために、肉薄に形成された冷蔵室の側壁を仕切壁とすることは、冷凍室の断熱性確保の観点から好ましくない。よって、冷蔵室の天面を冷凍室の天面よりも高く構築する構造は、基本的に採用されていなかった。本技術によれば、冷凍室天面パネル３２０と冷蔵室天面パネル３４０との間に肉薄な冷蔵室上部側壁パネル３３０を配する一方、冷凍室と冷蔵室との間には肉厚な仕切パネル１０を配することで、冷凍室の断熱性を確保することができる。よって、冷凍室の天面を冷蔵室の天面よりも高くした構造の断熱箱体３０１を容易に提供することができる。
【００４９】
＜第四実施形態＞
第四実施形態を、図８および図９によって説明する。
図８に示すように、第四実施形態に係る冷凍冷蔵庫ＦＲ４は、２つの冷凍室が上下に並べて構築された構造である。冷凍冷蔵庫ＦＲ４に用いられる断熱箱体４０１において、下方に配される冷凍室の側壁を下部側壁４０３ＳＡ、天面を第一天面４０３Ｃ１とし、上方に配される冷凍室の側壁を上部側壁４０３ＳＢ、天面を第二天面４０３Ｃ２とする。
【００５０】
図９は、本実施形態に係る断熱箱体４０１の上右角部の断面図である。断熱箱体４０１は、下部側壁４０３ＳＡを構成する仕切パネル１０、第一天面４０３Ｃ１を構成する第一冷凍室天面パネル４２０、上部側壁４０３ＳＢを構成する冷凍室上部側壁パネル２３０、第二天面４０３Ｃ２を構成する冷凍室天面パネル３０を、下から順に積み重ねて組み付けることで形成されている。なお、本実施形態に係る断熱箱体４０１では、仕切パネル１０が請求項４および請求項６における第一パネルに相当し、第一冷凍室天面パネル４２０が第二パネルに、冷凍室上部側壁パネル２３０が第三パネルに、冷凍室天面パネル３０が第四パネルに相当する。
【００５１】
本実施形態に係る第一冷凍室天面パネル４２０は、右側縁部に枠材４２１が取り付けられて水平姿勢に支持されるものであり、その下面の右側縁部４２０ＡＲを構成する枠材４２１の下面には、枠材１１の上面に設けられた凸条部５Ｂと嵌合する２本の凹条部６Ａと、凹条部６Ｂと嵌合する凸条部５Ａが形成されて、枠材１１の上面に対応する形状とされている。また、枠材４２１の上面には、枠材１１の上面に形成されているのと同様の２本の凸条部５Ｂが形成され、これらの間が凹条部６Ｂとされている。
【００５２】
本実施形態に係る断熱箱体４０１を構築するには、まず、枠材１１が取り付けられた仕切パネル１０を起立した姿勢で配し、この上端面１０ＴＢ上に、枠材４２１が取り付けられた第一冷凍室天面パネル４２０の下板面の右側縁部４２０ＡＲを当接させて、これらの当接部分に設けられている凸条部５Ｂと凹条部６Ａ、並びに、凹条部６Ｂと凸条部５Ａを嵌合させる。次いで、第一冷凍室天面パネル４２０の上に、下枠材２３１Ａおよび上枠材２３１Ｂが取り付けられた冷凍室上部側壁パネル２３０を載置して、上板面の右側縁部４２０ＢＲと下端面２３０ＴＡとを当接させ、凸条部５Ｂと凹条部６Ａ、並びに、凹条部６Ｂと凸条部５Ａを嵌合させる。そして、冷凍室上部側壁パネル２３０の上に、冷凍室天面パネル３０の右側縁部を載置し、上端面２３０ＴＢと下板面の右側縁部３２０ＡＲとを当接させて、これらの当接部分に設けられている凸条部５Ｂと凹条部６Ａ、並びに、凹条部６Ｂと凸条部５Ａを嵌合させる。この状態で、締結具等で各パネルを固定することにより、第一冷凍室天面パネル４２０、冷凍室上部側壁パネル２３０、および冷凍室天面パネル３０が、仕切パネル１０上に支持された状態で組み付け固定される。
【００５３】
本実施形態の構成によれば、第一冷凍室天面パネル４２０および冷凍室天面パネル３０の両水平パネルが、仕切パネル１０および冷凍室上部側壁パネル２３０等によって下方から支持されて、十分な耐荷重等の強度を発現できる状態で組み付けられる。
このように、本実施形態によれば、第一冷凍室天面パネル４２０を挟んで上下に貯蔵室が形成されるようなドッキング型貯蔵庫に、本技術を好ましく適用することができる。
【００５４】
＜第五実施形態＞
第五実施形態を、図１０および図１１によって説明する。
図１０に示すように、第五実施形態に係る冷凍冷蔵庫ＦＲ５は、左側に２つの冷凍室が上下に並べて構築され、これらの右側に冷蔵室が構築された構造である。冷凍冷蔵庫ＦＲ５に用いられる断熱箱体５０１において、下方に配される冷凍室と冷蔵室との間の仕切壁を下部仕切壁５０３ＳＡ、上方に配される冷凍室と冷蔵室との間の仕切壁を上部仕切壁５０３ＳＢ、下方に配される冷凍室の天面を第一天面５０３Ｃ１、上方に配される冷凍室の天面を第二天面５０３Ｃ２、冷蔵室の天面を冷蔵室天面５０２Ｃとする。
【００５５】
図１１は、本実施形態に係る断熱箱体５０１の仕切部分の断面図である。断熱箱体５０１は、下部仕切壁５０３ＳＡを構成する仕切パネル１０、第一天面５０３Ｃ１を構成する第一冷凍室天面パネル４２０、上部仕切壁５０３ＳＢを構成する冷凍室上部側壁パネル２３０、第二天面５０３Ｃ２を構成する冷凍室天面パネル３２０、冷蔵室天面５０２Ｃを構成する冷蔵室天面パネル３４０を、下から順に積み重ねて組み付けて形成されている。上記パネルは全て、第一実施形態から第四実施形態の何れかの実施形態で用いられているものであるため、説明を省略する。
【００５６】
本実施形態に係る断熱箱体５０１を構築するには、まず、枠材１１が取り付けられた仕切パネル１０を起立した姿勢で配し、この上端面１０ＴＢ上に、枠材４２１が取り付けられた第一冷凍室天面パネル４２０の下板面の右側縁部４２０ＡＲを当接させて、これらの当接部分に設けられている凸条部５Ｂと凹条部６Ａ、並びに、凹条部６Ｂと凸条部５Ａを嵌合させる。次いで、第一冷凍室天面パネル４２０の上に、下枠材２３１Ａおよび上枠材２３１Ｂが取り付けられた冷凍室上部側壁パネル２３０を載置して、上板面の右側縁部４２０ＢＲと下端面２３０ＴＡとを当接させ、これらの当接部分に設けられている凸条部５Ａ，５Ｂと凹条部６Ａ，６Ｂとを嵌合させる。そして、冷凍室上部側壁パネル２３０の上に、冷凍室天面パネル３２０の右側縁部を載置し、上端面２３０ＴＢと下板面の右側縁部３２０ＡＲとを当接させて、これらの当接部分に設けられている凸条部５Ｂと凹条部６Ａ、並びに、凹条部６Ｂと凸条部５Ａを嵌合させる。さらに、上板面の右側縁部３２０ＢＲと、冷蔵室天面パネル３４０の下板面の左側縁部３４０ＡＬを当接させて、これらの当接部分に設けられている凸条部３０５Ｂと凹条部３０６Ａ、並びに、凹条部３０６Ｂと凸条部３０５Ａを嵌合させる。この状態で、締結具等で各パネルを固定することにより、第一冷凍室天面パネル４２０、冷凍室上部側壁パネル２３０、冷凍室天面パネル３２０、冷蔵室天面パネル３４０が、仕切パネル１０上等によって下方から支持された状態で組み付け固定される。
【００５７】
本実施形態の構成によれば、複数の貯蔵室が上下方向に並べて構成されるとともに、そのような貯蔵室を、さらに左右方向に並べて構成した構造の断熱箱体５０１を提供することができる。また、各パネル同士の当接部分に設けられる嵌合構造を、凸条部５Ａ，５Ｂおよび凹条部６Ａ，６Ｂ、或いは、凸条部３０５Ａ，３０５Ｂおよび凹条部３０６Ａ，３０６Ｂのように、２対の形状の何れかとしたことで、数種の断熱パネルを組み合わせるだけで、多様な構造の断熱箱体を提供することが可能とされている。
【００５８】
＜他の実施形態＞
本明細書によって開示される技術は、上記記述および図面によって説明した実施形態に限定されるものではなく、例えば次のような実施形態も技術的範囲に含まれる。
【００５９】
（１）上記実施形態では、嵌合構造を、凸条部および凹条部により形成した例を示したが、これに限定されない。凸条部および凹条部は、当接部分の長手方向全長に亘って延在している必要はないが、長く延在している方が、断熱性確保の観点からは好ましい。また、断続的もしくは局所的に凸条部および凹条部を設ければ、嵌合構造を利用して当接部分の長手方向の位置決めも行うことができる。
【００６０】
（２）上記実施形態では、断熱パネル同士の当接部分の嵌合構造を、断熱パネルの周縁に取り付けられた枠材に形成したが、これに限定されず、表面板の縁部に形成してもよい。また、断熱パネルは、何れも一対の金属板の周縁部に枠材を取り付けて内部に断熱材を発泡充填して形成したが、これに限定されず、様々な構造の断熱パネルを用いることができる。
【００６１】
（３）上記実施形態では、何れも開口が前面に設けられた構造の断熱箱体について示したが、これに限定されず、上面や側面に開口が設けられた構造としてもよい。
【００６２】
（４）本明細書が開示する技術は、様々な組立式プレハブ貯蔵庫に適用可能である。組立式プレハブ貯蔵庫は、例えば開口等の形態によって、開口の下端が貯蔵庫の設置面に至るように設計したロールインタイプや、貯蔵庫本体の下方にベース枠を配したウォークインタイプ（第１実施形態に係る図１参照）に分類できる。また、例えば扉の様式によって、片開き式、両開き式（観音開き式）、搖動開閉式、スライド開閉式、手動開閉式、自動開閉式等に分類できる。本技術は、上記各タイプを含む、多様な組立式プレハブ冷却貯蔵庫に広く用いることができる。
【００６３】
（５）本明細書により開示される技術は、冷却庫に限らず、様々な用途に用いられる組立式断熱箱体全般に広く適用することができる。
【符号の説明】
【００６４】
ＦＲ１…冷凍冷蔵庫（冷却貯蔵庫）
１…断熱箱体（組立式断熱箱体）
２…冷蔵室
２Ｃ…天面
３…冷凍室
３Ｃ…天面
３Ｓ…側壁
３ＳＡ…仕切壁
５Ａ，５Ｂ…凸条部
６Ａ，６Ｂ…凹条部
１０…仕切パネル（第一パネル）
１０ＴＢ…上端面
１１…枠材
２０…冷蔵室天面パネル（第二パネル）
２０ＡＬ…下板面の左側縁部
２０ＢＬ…上板面の左側縁部
２１…枠材
３０…冷凍室天面パネル（第三パネル）
３０ＡＲ…下板面の右側縁部
３１…枠材
【図１】
2018151112.tif 000003
【図２】
2018151112.tif 000004
【図３】
2018151112.tif 000005
【図４】
2018151112.tif 000006
【図５】
2018151112.tif 000007
【図６】
2018151112.tif 000008
【図７】
2018151112.tif 000009
【図８】
2018151112.tif 000010
【図９】
2018151112.tif 000011
【図１０】
2018151112.tif 000012
【図１１】
2018151112.tif 000013